(57)【特許請求の範囲】
【請求項１】
液透過性のトップシートと、液不透過性のバックシートと、これらトップシートとバックシートとの間に配置される吸収体と、この吸収体の長手方向に沿って配置され、かつ長手方向両端部および幅方向外側の側縁部に前記トップシートとの接合領域を有するポケットシートとを具えた吸収性物品であって、
前記ポケットシートの幅方向中央部には、その長手方向に沿って延び、かつポケットシートの長手方向端部にまで達しないスリットが形成され、
前記トップシートに対するポケットシートの側縁部の接合領域と前記スリットとの間に前記ポケットシートの折り返し部を形成すると共にこのポケットシートの折り返された表面の一部を当該ポケットシートの折り返し部よりも幅方向外側にて該ポケットシートに接合した接合部がそれぞれ設けられ、これによって前記ポケットシートのスリットの縁部を相互に離間した開口部が形成されていることを特徴とする吸収性物品。
【請求項２】
液透過性のトップシートと、液不透過性のバックシートと、これらトップシートとバックシートとの間に配置される吸収体と、この吸収体の長手方向に沿って配置され、かつ長手方向両端部および幅方向外側の側縁部に前記トップシートとの接合領域を有するポケットシートとを具えた吸収性物品であって、
前記ポケットシートの幅方向中央部には、その長手方向に沿って延び、かつポケットシートの長手方向端部にまで達しないスリットが形成され、
前記トップシートに対するポケットシートの側縁部の接合領域と前記スリットとの間に前記ポケットシートの折り返し部を形成すると共にこのポケットシートの折り返された表面の一部を当該ポケットシートの折り返し部よりも幅方向外側にて前記トップシートに接合した接合部がそれぞれ設けられ、これによって前記ポケットシートの前記スリットの縁部を相互に離間した開口部が形成されていることを特徴とする吸収性物品。
【請求項３】
前記開ロ部に沿って前記ポケットシートの前記スリットの縁部に弾性部材を配置したことを特徴とする請求項１または請求項２に記載の吸収性物品。
【請求項４】
前記ポケットシートは、伸縮性部材にて形成されていることを特徴とする請求項１から請求項３の何れかに記載の吸収性物品。
【請求項５】
前記ポケットシートの長手方向両端部に重ね合わされる補助シートをさらに具えたことを特徴とする請求項１から請求項４の何れかに記載の吸収性物品。
【発明の詳細な説明】
【０００１】
【発明の属する技術分野】
本発明は、あらゆる位置からの尿や排泄物の漏れを防止し得る吸収性物品に関する。
【０００２】
【従来の技術】
従来、尿、経血や便等の排泄物を処理するための吸収性物品において、吸収体の吸収速度以上に排泄物が排出された場合や、便など粘性が高く吸収されにくいものが排泄された場合、吸収体がこれを吸収できず、吸収性物品の中央部または背腹部から漏れてしまうことがあった。
【０００３】
これらの漏れを解消するため、吸収性物品の長手方向両端部に伸縮性のあるバリアーカフスを配置したものが特公平６−９３９０１号公報で提案されている。この吸収性物品は、吸収体の側部から立ち上がる、いわゆる立体ギャザーを有し、この立体ギャザーによって排泄物の漏れを防止している。
【０００４】
また、特開昭６４−２６７０１号公報には、吸収性物品の背腹部からの漏れを解消するため、背腹部にフラップを設けた構造が開示されている。
【０００５】
さらに、特開平５−３０５１０９号公報, 特開平５−２７７１４９号公報, 特開平６−２１６２３号公報, 実開平６−１１７２３号公報, 特開平５−２８５１６８号公報には、吸収性物品の中央部および背腹部両方からの漏れを防止するため、吸収性物品の上部に開口部を有する第二トップシートを配置したものが開示されている。この吸収性物品は、いわゆるポケット構造を有し、第一トップシートに排泄された排泄物が外に漏れ出さないように、吸収体から立ち上がる一体型の第二トップシートがあらゆる方向に対するバリヤーの役目を果たしている。
【０００６】
一方、特開平３−５９号公報には、立体ギャザーの一部を吸収体の側部に接着することにより、立体ギャザーを確実に立ち上がらせるようにした構造が開示されている。この吸収性物品の立体ギャザーは、その自由縁に配置された弾性体の伸縮によってのみならず、立体ギャザーと吸収体との長手方向の寸法の差によっても吸収体から立ち上がり、吸収性物品の長手方向中央部からの漏れを防止している。
【０００７】
【発明が解決しようとする課題】
特公平６−９３９０１号公報に開示されたものは、吸収性物品の背腹部からの漏れを防止することができない。また、着用者の姿勢によっては吸収性物品の立体ギャザーがつぶれて吸収体から立ち上がらず、漏れを防止できなくなる不具合もある。
【０００８】
また、特開昭６４−２６７０１号公報に開示されたものは、フラップが吸収性物品の背腹部からの漏れ防止にしか効果がなく、その中央部からの漏れを防止することができない。しかも、着用者の姿勢によってはフラップがつぶれてしまい、排泄物がフラップを越えて漏れる虞があった。
【０００９】
さらに、特開平５−３０５１０９号公報、特開平５−２７７１４９号公報、特開平６−２１６２３号公報、実開平６−１１７２３号公報、特開平５−２８５１６８号公報に開示されたものでは、第二トップシートの立ち上がりを良くするため、ポケット全周に亙って弾性体を配置することが望ましいが、この弾性体を曲線状に配置した場合には、吸収性物品の製造速度が低下してしまい、その生産コストが高くなってしまう。一方、吸収性物品の長手方向にのみ弾性体を配置した場合には、その製造が容易となる反面、背腹部の第二トップシートの立ち上がりを充分な高さにすることが困難となる。また、何れの場合も、第二トップシートのポケット部分のシートの切断および除去に伴う製造速度の低下を招来する。さらに、弾性体もしくはシートの収縮性によってのみ第二トップシートを立ち上がらせるようにした構造の場合、ポケットを形成する第二トップシートが着用者の姿勢によってつぶされて立ち上がらず、排泄物のバリヤーの役目を果たすことができなくなるという不具合もある。また、Ｓ字カットをした２枚シートの重ね合わせによって、ポケットを形成した場合は、背腹部において、シートの重ね合わせ部分ができ、背腹部が厚くなる、あるいは、シートの接着により背腹部のシートが硬くなるという問題もあった。
【００１０】
一方、特開平３−５９号公報に開示されたものは、吸収性物品の背腹部からの排泄物の漏れを防止することができない。
【００１１】
【発明の目的】
本発明の目的は、あらゆる位置からの漏れを防止し、特に股間部からの漏れ防止効果が高い吸収性物品を提供することにある。
【００１２】
【課題を解決するための手段】
本発明による第１の形態は、液透過性のトップシートと、液不透過性のバックシートと、これらトップシートとバックシートとの間に配置される吸収体と、この吸収体の長手方向に沿って配置され、かつ長手方向両端部および幅方向外側の側縁部に前記トップシートとの接合領域を有するポケットシートとを具えた吸収性物品であって、
前記ポケットシートの幅方向中央部には、その長手方向に沿って延び、かつポケットシートの長手方向端部にまで達しないスリットが形成され、
前記トップシートに対するポケットシートの接合領域と前記スリットとの間に前記ポケットシートの折り返し部を形成すると共にこのポケットシートの折り返された表面の一部を当該ポケットシートの折り返し部よりも幅方向外側にて該ポケットシートに接合した接合部がそれぞれ設けられ、これによって前記ポケットシートのスリットの縁部を相互に離間した開口部が形成されていることを特徴とする吸収性物品にある。
【００１３】
また、本発明による第２の形態は、液透過性のトップシートと、液不透過性のバックシートと、これらトップシートとバックシートとの間に配置される吸収体と、この吸収体の長手方向に沿って配置され、かつ長手方向両端部および幅方向外側の側縁部に前記トップシートとの接合領域を有するポケットシートとを具えた吸収性物品であって、
前記ポケットシートの幅方向中央部には、その長手方向に沿って延び、かつポケットシートの長手方向端部にまで達しないスリットが形成され、
前記トップシートに対するポケットシートの側縁部の接合領域と前記スリットとの間に前記ポケットシートの折り返し部を形成すると共にこのポケットシートの折り返された表面の一部を当該ポケットシートの折り返し部よりも幅方向外側にて前記トップシートに接合した接合部がそれぞれ設けられ、これによって前記ポケットシートの前記スリットの縁部を相互に離間した開ロ部が形成されていることを特徴とする吸収性物品にある。
【００１４】
本発明によると、ポケットシートの幅方向外側に長手方向に沿ってトップシートとの接合領域を有すると共にその長手方向両端部もトップシートの長手方向両端部との接合領域を有するため、吸収体はポケットシートで囲まれた状態となる。また、トップシートに対するポケットシートの接合領域とスリットとの間にポケットシートの折り返し部を形成すると共にこのポケットシートの折り返された表面の一部を当該ポケットシートの折り返し部よりも幅方向外側にてポケットシートまたはトップシートに接合した接合部をそれぞれ設け、これらポケットシートのスリットの縁部が相互に離間した開ロ部を形成する。これにより、ポケットシートのスリットの縁部が吸収体の周縁部から立ち上がって堰を形成し、全体としてポケット構造を形成する。
【００１５】
従って、着用者の姿勢に拘らず、着用者の排泄物が開口部から吸収体に受け止められ、上述した堰によって股間部のみならず、背腹部からの排泄物の漏れも確実に阻止される。
【００１６】
【発明の実施の形態】
本発明の第１および第２の形態による吸収性物品において、開口部に沿ってポケットシートのスリットの縁部に弾性部材を配置してもよい。これによって、吸収体の周縁部からのポケットシートのスリットの縁部の立ち上がり傾向がより強められる。
【００１７】
また、ポケットシートを伸縮性部材にて形成してもよく、この場合も、伸縮性部材の縮む力を利用して吸収体の周縁部からのポケットシートのスリットの縁部の立ち上がり傾向がより強められる。
【００１８】
さらに、ポケットシートの長手方向両端部に重ね合わされる補助シートをさらに設けるようにしてもよい。
【００１９】
【実施例】
本発明による吸収性物品を展開型おむつに応用した実施例について、図１〜図１１を参照しながら詳細に説明するが、本発明はかかる展開型おむつに限定されるものではない。
【００２０】
本実施例の外観を表す図１およびその平面形状を表す図２およびその III−III 矢視断面構造を表す図３に示すように、本実施例の展開型おむつ１１は、液不透過性のバックシート１２と、このバックシート１２の上に重ね合わされる液透過性のトップシート１３と、これらトップシート１３とバックシート１２との間に配置される吸収体１４と、この吸収体１４を覆うように配置され、その幅方向外側の側縁部と長手方向両端部とがトップシート１３に接合されるポケットシート１５と、前記吸収体１４の幅方向両側縁から外側へ延出するトップシート１３とバックシート１２とで形成される一対のサイドフラップ部１６, １７と、吸収体１４の長手方向一端側から延出するトップシート１３とバックシート１２との間に挟持され、着用時にウエスト周りのフィット性を良好にするウエストギャザー１８を形成するためのウエスト周り弾性部材１９と、吸収体１４の幅方向両側縁の外側のサイドフラップ部１６, １７を形成するトップシート１３とバックシート１２との間に挟持され、着用時の脚周りのフィット性を良好にするレッグギャザー２０を形成するための脚周り弾性部材２１と、一端側のサイドフラップ部１６の幅方向両側縁に取り付けられ、他端側のサイドフラップ部１７に重ね合わせてこれらをつなぐための左右一対のファスニングテープ２２とを有する。
【００２１】
ポケットシート１５の幅方向中央部には、その長手方向に沿って延びるスリット２３（図４参照）が形成され、ポケットシート１５の幅方向外側の側縁部近傍の幅方向に沿う中央部に形成された一対の接合部２４R , ２４L によって、ポケットシート１５のスリット２３の縁部が相互に離間して開口部２５が形成されている。
【００２２】
また、ウエスト周り弾性部材１９は、吸収体１４の長手方向一端側にのみ配置されているが、長手方向他端側にも配置するようにしてもよい。さらに、脚周り弾性部材２１は吸収体１４の両側縁の外側の長手方向に沿っておむつの幅方向に沿う中央部にのみ設けられており、また、サイドフラップ部１６, １７の幅方向両側縁には、着用時に脚周り開口部を形成するための一対の繰り抜き部２６が形成されている。
【００２３】
さらに、ファスニングテープ２２は、トップシート１３上に接合されたベーステープ２７（図２参照）に対して繰り返し剥離できるようになっている。
【００２４】
上述したトップシート１３は、親水性あるいは疎水性の不織布, 織布, 多孔性プラスチックフィルムなどで形成され、ポリプロピレン, ポリエチレン, ポリエステル, ナイロンなどの繊維や、あるいはポリエステル, ポリプロピレン, ポリエチレン, ナイロンなどを２種類以上組み合わせた複合繊維などで構成することができる。特に、ポリエステル／ポリエステル, ポリエステル／ポリエチレン, ポリプロピレン／ポリエチレンの複合繊維が強度の面から好ましいけれども、これらに限定されるものではない。
【００２５】
前記バックシート１２は、ポリエチレンなどの液不透過性フィルムで形成したり、液不透過性フィルムと不織布あるいは織布とを貼り合わせたもので形成することができ、通気性もしくは透湿性を持った材料を採用することが好ましい。
【００２６】
吸収体１４は、すでに周知の吸収性物品に使用される公知の吸収性材料で形成される。すなわち、綿状パルプやレーヨンなどの吸収性繊維をマット状にしてＳＡＰを均一に分散あるいは層状に配設し、これを親水性シートでくるんだものや、ＳＡＰを親水性シートでくるんだものを採用することができる。綿状パルプを有する吸収体１４の場合には、綿状パルプに対して３〜６０重量％の熱融着性物質を混合し、これらを熱圧着するようにしてもよい。
【００２７】
上述した綿状パルプは、化学パルプシートや機械パルプシートを粉砕機で解繊することにより得られる５mm以下の繊維長のものが好ましい。また、パルプ原料としては、針葉樹に限らず、広葉樹, わら, 竹, ケナフの他、古紙パルプなども使用することができる。この綿状パルプの使用量は、吸収体１４の構造、例えば、綿状パルプを単独で用いるか、これを複数積層して用いるか、あるいはＳＡＰなどの他の材料を併用するかなどによって異なるが、一般的には５０〜４００g/m2が適当である。
【００２８】
また、ＳＡＰとしては、デンプン系, セルロース系, 合成ポリマー系のものを採用することができる。具体的には、デンプン−アクリル酸（塩）グラフト共重合体, デンプン−アクリル酸エチルグラフト共重合体のケン化物, デンプン−メタクリル酸メチルグラフト共重合体のケン化物, デンプン−アクリロニトリルグラフト共重合体のケン化物, デンプン−アクリルアミドグラフト共重合体のケン化物, デンプン−アクリロニトリル−２−アクリルアミド−２−メチルプロパンスルホン酸グラフト共重合体のケン化物, アクリル酸（塩）重合体, アクリル酸で架橋されたポリエチレンオキシド, ナトリウムカルボキシメチルセルローズの架橋物, ポリビニールアルコール−無水マレイン酸反応物の架橋物などである。特に、ポリアクリル酸ナトリウム系のものが、その自重の２０倍以上の尿や体液および水を吸収することから、最も適当である。ＳＡＰの使用量は、乾燥状態の綿状パルプに対して全重量の１０〜５００重量％、好ましくは１５〜３００重量％であり、綿状パルプ中に実質的に均一に分布していることが有効である。この吸収体１４を圧縮成形する場合、密度が均一となるように表面を平滑に成形したり、あるいは尿や体液を縦方向および斜め方向に導くエンボス加工をその表面に施し、密度が部分的に異なるようにしてもよい。
【００２９】
さらに、上述した親水性シートとしては、ティシュ, 吸収紙, 親水性不織布などを採用することができる。
【００３０】
なお、トップシート１３と吸収体１４との間に親水性で液透過性の不織布, 織布, 多孔性プラスチック, 綿状パルプなどで形成した拡散層を設けてもよい。この拡散層を設けることによって、尿や体液などの吸収速度を低下させることなく、これらの漏れを防止することができる。この拡散層は、ポリプロピレン, ポリエチレン, ポリエステル, レーヨン, パルプなどの繊維で構成したり、あるいはこれらの複合繊維で構成することが可能であり、接着剤などを用いて吸収体１４に接着固定される。
【００３１】
上述したように、ポケットシート１５の長手方向に沿う中央部、つまり着用者の股間部に対応する部分には、長手方向に沿って延びる接合部２４R，２４Lがそれぞれ形成されている。これら一対の接合部２４R，２４Lは、ポケットシート１５のスリット２３の縁部、すなわち自由端部２８側を折り返し部２９にてその幅方向外側にそれぞれ折り返し、相互に重なり合う表面の一部を長手方向に沿って線状に接合することによって形成される。これら接合部２４R，２４Lにより、ポケットシート１５に開口部２５が設けられ、吸収体１４が円弧状に付勢される。その結果、ポケットシート１５が吸収体１４から立ち上がって、堰３２を形成する。なお、本実施例では接合部２４R，２４Lを着用者の股間部の位置に対応して連続した直線状に形成しているが、曲線や間欠的に破線状に配置されていてもよく、スリット２３の全長に亙って形成するようにしてもよい。
【００３２】
また、ポケットシート１５の自由端部２８には、弾性部材３０が伸長状態で弾性部材固定用テープ３１と共に接合されている。この弾性部材３０によって、ポケットシート１５の長手方向一端側のトップシート１３との接合部分から、その長手方向他端側のトップシート１３との接合部分に至る直線距離がさらに短くなり、吸収体１４がより強く円弧状に付勢される結果、ポケットシート１５の自由端部２８を吸収体１４から急峻に立ち上げることができ、ここの部分で堰３２を構成する。
【００３３】
本実施例では、スリット２３をポケットシート１５の長手方向中央部に形成したが、これを展開型おむつ１１の背側あるいは腹側に偏って形成するようにしてもよく、好ましくは腹側に片寄ったものである。また、その長さは、吸収体１４の長手方向に沿った寸法の４／１０から９／１０程度が一般的である。これが吸収体１４の長手方向に沿った寸法の４／１０未満の場合には、開口部２５が小さくなり過ぎて排泄物が開口部２５内に入らず、逆に吸収体１４の長手方向に沿った寸法の９／１０を越える場合には、背側あるいは腹側からの漏れ防止効果を得ることが不充分となる虞がある。また、スリットを一直線状に複数に別けて形成するようにしてもよい。
【００３４】
弾性部材３０は、開口部２５の全周、つまりスリット２３の側縁全域に亙って配置することが好ましく、本実施例ではそれぞれ１本の弾性部材３０をポケットシート１５の自由端部２８に接合しているが、複数本の弾性部材３０を弾性部材固定用テープ３１と共に接合することも可能である。なお、弾性部材固定用テープ３１は、ポケットシート１５と同材質のものを使用することができる。
【００３５】
あるいはまた、弾性部材３０は、弾性部材固定用テープ３１を用いずに開口部２５の周囲に配置することも可能である。この場合、弾性部材３０は、ポケットシート１５の自由端部２８を内側または外側に折り返して挾持され、その挾持部分に全面的または部分的に接合して、弾性部材３０を固定する。
【００３６】
このようにして、ポケットシート１５の幅方向に沿う中央部の自由端部２８が相互に引き離され、さらにトップシート１３の表面からも離間して開口部２５およびこの開口部２５を縁取る堰３２が形成される。
【００３７】
このような本実施例の構造を容易に実現する方法として、接合部２４R , ２４L を形成する前の外観を表す図４およびそのＶ−Ｖ矢視断面構造を表す図５に示すように、ポケットシート１５の中央部に形成されたスリット２３と平行に一対の接着部２４RO, ２４RI, ２４LO, ２４LIを設け、これら接着部２４RO, ２４RI, ２４LO, ２４LIを相互に重ね合わせて接合し、上述した接合部２４R , ２４L を形成することにより、開口部２５と折り返し部２９と堰３２とを形成することができる。
【００３８】
すなわち、ポケットシート１５に接合部２４R，２４Lを形成することにより、ポケットシート１５の長手方向一端側のトップシート１３との接合部分からその長手方向他端側のトップシート１３との接合部分に至る直線距離は、トップシート１３の表面に沿ったこれらの接合部分の間の長さよりも短くなる。このため、吸収体１４は、その長手方向一端部と他端部との直線距離が短くなるように円弧状に湾曲してポケットシート１５の自由端部２８が吸収体１４から立ち上がった状態となる。しかも、ポケットシート１５の自由端部２８に弾性部材３０を設けることにより、ポケットシート１５の長手方向一端側のトップシート１３との接合部分から、その長手方向他端側のトップシート１３との接合部分に至る直線距離をさらに短くすることができる。この結果、吸収体１４がさらに強く円弧状に付勢され、ポケットシート１５の自由端部２８を吸収体１４から急峻に立ち上げ、堰３２として機能させることができる。
【００３９】
接合部２４R , ２４L から立ち上がるポケットシート１５の自由端部２８の堰３２の高さは、股間部からの漏れを防止できるような適度な高さが必要であり、股間部で５mm〜１００mmの範囲内、好ましくは２０mm〜６０mmの範囲で設定するとよい。堰３２の高さが５mm未満の場合には、股間部からの漏れの防止効果を得ることが困難となり、逆に１００mmより高くなると着用者の装着方法や姿勢によっては、堰３２の部分が吸収体１４と着用者との間に介在してしまい、吸収体１４の機能を発揮させることができなくなる虞がある。
【００４０】
本発明に使用されるポケットシート１５や弾性部材固定用テープ３１は、親水性あるいは疎水性の不織布, 織布, 多孔性プラスチックフィルムなどの他、液不透過性のフィルムやこれらを貼り合わせたもので形成することができる。また、親水性の不織布や織布などは、このままでも使用することができるが、撥水処理を施すことがより好ましく、これによって防漏効果を高めることができる。不織布, 織布を構成する繊維としては、ポリプロピレン, ポリエチレン, ポリエステル, ナイロンなどの繊維や、あるいはポリエステル, ポリプロピレン, ポリエチレン, ナイロンなどを２種類以上組み合わせた複合繊維などで構成することができる。特に、ポリエステル／ポリエステル, ポリエステル／ポリエチレン, ポリプロピレン／ポリエチレンの複合繊維が強度の面から好ましいけれども、これらに限定されるものではない。また、伸縮性の材料を使用することも可能である。
【００４１】
また、上述したウエスト周り弾性部材１９，脚周り弾性部材２１，弾性部材３０としては、天然ゴム，合成ゴム，ウレタンなどを糸状，ひも状，テープ状に成形したものを用い、澱粉系，ＣＭＣ（カルボキシメチルセルロース）などの水溶性の接着剤で固定するが、熱融着や超音波溶着などで固定するようにしてもよい。
【００４２】
ポケットシート１５の折り返し部２９を利用して立体ギャザーを開口部２５に沿って形成することも可能であり、このような立体ギャザーをさらに堰３２の幅方向外側に形成するようにしてもよい。
【００４３】
上述した接合部２４R , ２４L は、この展開型おむつ１１の製造中に効率よく製造することが可能であり、このような展開型おむつ１１の製造手順の一例を図６〜図８に示す。すなわち、二点鎖線で示す切断線Ｄに沿って切断される図４に示した状態の展開型おむつの連続体１１Ｃの一部を構成するポケットシートの連続体１５Ｃには、予めスリット２３を挟んで一対の弾性部材３０が伸長状態で弾性部材固定用テープ３１と共に接合されており、このポケットシートの連続体１５Ｃの表面に、ポケットシートの連続体１５Ｃに設定される接着部２４RO, ２４LO, ２４RI, ２４LIの何れか一方（図示例では幅方向外側の接着部２４RO, ２４LO）にのみ接着剤を塗布し（図６参照）、図６中、一点鎖線で示すポケットシートの連続体１５の幅方向一方側の折り返し線ＬR に沿って展開型おむつの連続体１１Ｃの片側（図中、右側）を谷折りで折り重ねる。これによって、ポケットシートの連続体１５Ｃの接合部２４R が自動的に形成される（図７参照）。弾性部材固定用テープ３１は、展開型おむつ１１の長手方向全長に亙って配置されていてもよいが、弾性部材３０が配置されている部分だけでも良い。
【００４４】
同様にして、展開型おむつの連続体１１Ｃの他の片側（図中、左側）をポケットシートの連続体１５Ｃの接着部２４LO, ２４LIから等距離に設定した図７中、一点鎖線で示す折り返し線ＬL に沿って谷折りで折り重ね、ポケットシートの連続体１５Ｃの接合部２４L を自動的に形成し、図８に示す如き３つ折り状態の展開型おむつの連続体１１Ｃとし、これを切断線Ｄに沿って切断して展開型おむつ１１を得た後、さらにこれをその長手方向に２つ折り、もしくは３つ折りにして梱包し、出荷する。
【００４５】
このような方法でポケットシート１５を形成すると、ポケットシートの弾性部材３０を製造ラインの流れ方向に沿って直線状に配置しながらも、形成されたポケットシート開口部２５は円弧状となり、実質的にポケット開口全体に亙って曲線状に配置され、したがって製造が容易でありながらもポケット効果の高い展開型おむつの製造が可能となる。
【００４６】
上述した実施例では、トップシート１３を単一のシートで構成したが、吸収体１４に重ね合わされるセンタートップシートと、サイドフラップ部１６, １７を形成する一対のサイドトップシートとでトップシート１３を構成するようにしてもよい。この場合、センタートップシートとサイドトップシートとを別の素材を使ってもよいが、同一の素材で構成することも可能である。
【００４７】
このような本発明による吸収性物品の他の実施例における図３同様の断面構造を図９に示すが、先の実施例と同一機能の要素には、これと同一符号を記すに止め、重複する説明は省略するものとする。すなわち、吸収体１４を覆うセンタートップシート１３C の幅方向外側の側縁部には、一対のサイドトップシート１３S の幅方向内側の側縁部が重ね合わされ、一体的に接合されてトップシートを形成している。レッグギャザーを形成するための脚周り弾性部材２１は、バックシート１２とサイドトップシート１３S との間に接合される。ポケットシート１５の幅方向外側縁部は、サイドトップシート１３S に接合され、本実施例ではさらにその外側に接合部２４R , ２４L （図９では、右側の接合部２４R のみ示している）を形成している。
【００４８】
このように、接合部２４R , ２４L の位置を吸収体１４から離すことにより、開口部２５をより広げることができ、ここを排泄物の溜め部として利用することができる。
【００４９】
上述した実施例では、ポケットシート１５の接合部２４R , ２４L をトップシート１３またはサイドトップシート１３S 上に形成したが、これら接合部２４R , ２４L をトップシート１３またはサイドトップシート１３S から離して形成することも可能である。
【００５０】
このような本発明による吸収性物品のさらに別な実施例の断面構造を図１０に示すが、先の実施例と同一機能の要素には、これと同一符号を記すに止め、重複する説明は省略するものとする。すなわち、図１０は、先の実施例における図３と対応した断面図であり、トップシート１３の幅寸法を短く設定し、ポケットシート１５の幅方向外側部とバックシート１２とでサイドフラップ部を形成すると共に脚周り弾性部材２１を挟持している。ポケットシート１５の接合部２４R , ２４L （図１０では、右側の接合部２４R のみ示している）は、トップシート１３とポケットシート１５との接合領域よりも、ポケットシート１５の幅方向内側にずらして形成され、これによって折り返し部２９を堰３２の一部として構成し、この折り返し部２９とトップシート１３との間のポケットシート１５によって、ここを溜め部として利用することができる。
【００５１】
上述した図３, 図９, 図１０に示す３つの実施例の構造は、接合部２４R , ２４L の形成位置をポケットシート１５の幅方向に沿って単にずらすだけで任意に選択可能であり、製造設備の改造をほとんど行うことなく、かかる構成のおむつを製造することができる。
【００５２】
なお、展開型おむつ１１の背腹部からの漏れ効果をより高めるため、補助シートをポケットシート１５の長手方向両端部に重ね合わせることも有効である。
【００５３】
このような本発明のさらに別な実施例の外観を図１１に示すが、先の実施例と同一機能の要素には、これと同一符号を記すに止め、重複する説明は省略するものとする。すなわち、ポケットシート１５の長手方向両端部には、補助シート３３が重ね合わされ、これらと一体的に接合されている。
【００５４】
補助シート３３は、ポケットシート１５と同一材質のものを使用することが可能であるが、別な材料を使用してもよい。この場合、伸縮性材料あるいは非伸縮性材料であってもよい。伸縮性材料を使用した場合には、これを伸長状態で配設することにより、ウエスト周り弾性部材１９を省略することも可能である。
【００５５】
また、吸収体１４の長手方向に沿った補助シート３３の長さは、吸収性物品の種類や大きさによっても異なるが、一般的には１０mm〜２００mmの範囲内に設定され、好ましくは３０mm〜１５０mmの範囲である。補助シート３３の長さが１０mm未満になると、背腹部からの漏れの防止効果が発揮されなくなり、逆に２００mmよりも大きくなると、開口部２５が塞がれて吸収体１４を覆ってしまい、吸収体１４の吸収性能を阻害してしまう。
【００５６】
このように、補助シート３３を設けたことにより、展開型おむつ１１の背腹部からの漏れをより確実に防止することができる。さらに、スリット２３が設計した長さ以上に大きくなってしまった場合、スリット２４が背腹部の一方側に設計以上に片寄ってしまった場合、あるいはスリット２３からポケットシート１５の背腹部まで裂けが生じてポケットが形成できなくなった場合でも、背腹部からの漏れを確実に防止することが可能になる。
【００５７】
なお、この補助シート３３をサイドフラップ部１６, １７の全域に亙って配設するようにしてよい。本実施例では、補助シート３３をポケットシート１５の上に重ねるようにしたが、トップシート１３とポケットシート１５との間に介装するようにしてもよく、これを吸収体１４の長手方向何れか一方の端部にのみ設けることも可能である。トップシート１３とポケットシート１５との間に補助シート３３を介装した場合でも、補助シート３３をポケットシート１５に接合し、トップシート１３、つまり吸収体１４と補助シート３３との間に隙間が形成できるようにすることが望ましい。図面では配置する補助シート３３は吸収体の幅方向に対して一部のみに配置されているが、全長に亙って配置されていてもよい。
【００５８】
【発明の効果】
本発明の吸収性物品によると、ポケットシートの長手方向両端部および幅方向外側の側縁部にトップシートとの接合領域を形成し、トップシートに対するポケットシートの接合領域とスリットとの間にポケットシートの折り返し部を形成すると共にこのポケットシートの折り返された表面の一部をポケットシートの折り返し部よりも幅方向外側にてポケットシートまたはトップシートに接合することにより、吸収体がポケットシートで囲まれた状態となり、これらポケットシートのスリットの縁部を相互に離間させて開ロ部を成形することができる。この場合、トップシートとポケットシートの長手方向一端側との接合部分から他端側の接合部分に至る直線距離が、トップシートの表面に沿ったこれらの接合部分の間の長さよりも短くなって吸収体が円弧状に付勢される結果、ポケットシートのスリットの縁部が吸収体の周縁部から立ち上がって堰を形成し、全体としてポケット構造が形成され、着用者の姿勢に拘らず、着用者の排泄物が開口部から吸収体に受け止められ、上述した堰によって股間部のみならず、背腹部からの排泄物の漏れも確実に阻止される。
【００５９】
しかも、ポケットシートの幅方向中央部に長手方向に沿って延びるスリットを形成し、このスリットの縁部を相互に離間して開口部を成形するようにしたので、複数枚のシートを貼り合わせてポケットシートを形成する必要がない上、そのためのシートの切断除去も必要なくなり、生産速度を低下させず、しかも製造コストを向上させることができる。
【００６０】
また、開口部に沿ってポケットシートのスリットの縁部に弾性部材を配置した場合には、吸収体の周縁部からのポケットシートのスリットの縁部の立ち上がり傾向がより強められ、堰を確実に形成することができる。同様に、ポケットシートを伸縮性部材にて形成した場合にも、弾性部材や伸縮性部材の縮む力を利用して吸収体の周縁部からのポケットシートの幅方向内側の側縁部の立ち上がり傾向がより強められる結果、堰を確実に形成することができる。
【００６１】
さらに、ポケットシートの長手方向両端部に重ね合わされる補助シートを設けた場合には、吸収体の長手方向両端部からの漏れをより確実に防止することができる。
【図面の簡単な説明】
【図１】本発明による吸収性物品を展開型おむつに応用した一実施例の外観を表す斜視図である。
【図２】図１に示した実施例の平面図である。
【図３】図２中の III−III 矢視断面図である。
【図４】図１に示した実施例におけるポケットシートの接合前の状態を表す平面図である。
【図５】図４中のＶ−Ｖ矢視断面図である。
【図６】図７および図８と共に図１に示した実施例の製造手順を表す概念図である。
【図７】図６および図８と共に図１に示した実施例の製造手順を表す概念図である。
【図８】図６および図７と共に図１に示した実施例の製造手順を表す概念図である。
【図９】本発明による吸収性物品の他の実施例の主要部の構造を表す図３同様の断面図である。
【図１０】本発明による吸収性物品の別な実施例の主要部の構造を表す図３同様の断面図である。
【図１１】本発明による吸収性物品を展開型おむつに応用したさらに他の実施例の外観を表す斜視図である。
【符号の説明】
１１  展開型おむつ
１１Ｃ  展開型おむつの連続体
１２  バックシート
１３  トップシート
１４  吸収体
１５  ポケットシート
１５Ｃ  ポケットシートの連続体
１６, １７  サイドフラップ部
１８  ウエストギャザー
１９  ウエスト周り弾性部材
２０  レッグギャザー
２１  脚周り弾性部材
２２  ファスニングテープ
２３  スリット
２４R , ２４L   接合部
２４RO, ２４RI, ２４LO, ２４LI  接着部
２５  開口部
２６  繰り抜き部
２７  ベーステープ
２８  自由端部
２９  折り返し部
３０  弾性部材
３１  弾性部材固定用テープ
３２  堰
３３  補助シート
Ｄ  切断線
ＬR , ＬL   折り返し線
【図１】
0004164881.tif 000002
【図２】
0004164881.tif 000003
【図３】
0004164881.tif 000004
【図４】
0004164881.tif 000005
【図５】
0004164881.tif 000006
【図６】
0004164881.tif 000007
【図７】
0004164881.tif 000008
【図８】
0004164881.tif 000009
【図９】
0004164881.tif 000010
【図１０】
0004164881.tif 000011
【図１１】
0004164881.tif 000012